(57)【要約】【課題】耐風仕様を満足しながら、折版屋根材の端壁を唐草に対して簡便に掛止固定できる屋根端部の耐風構造を提供する。【解決手段】それぞれアルミニウム条材からなる唐草本体２４と、挟持体２５とで唐草２３を構成する。唐草本体２４は、屋根下地２に締結されるベース壁２９と、屋根外面へ突出する掛止壁３０と、屋根下地２の端面で受け止められる縦壁３１と、縦壁３１の外面に突設される係合壁３２とを含む。掛止壁３０に折り曲げ掛止した折版屋根材５の反転壁６ａを、係合壁３２に係合装着した挟持体２５の押圧壁３７で浮き離れ不能に押さえ固定して、耐風機能を満足に発揮する。【選択図】図１
2006257748.tif 000002
【特許請求の範囲】
【請求項１】
屋根下地（２）に唐草（２３）が固定され、屋根外面へ突出する唐草（２３）の掛止壁（３０）に、折版屋根材（５）の端部壁面が反転状に折り曲げ固定してある屋根端部の耐風構造であって、
唐草（２３）が、屋根下地（２）に固定される唐草本体（２４）と、唐草本体（２４）の外面に係合装着される挟持体（２５）とで構成されており、
掛止壁（３０）に折り曲げ掛止した折版屋根材（５）の反転壁（６ａ）が、唐草本体（２４）に係合装着した挟持体（２５）で浮き離れ不能に押さえ固定されていることを特徴とする屋根端部の耐風構造。
【請求項２】
唐草本体（２４）が、屋根下地（２）の上面に締結されるベース壁（２９）と、ベース壁（２９）に連続して屋根外面へ突出する掛止壁（３０）と、屋根下地（２）の端面で受け止められる縦壁（３１）とを備えたアルミニウム条材からなり、
縦壁（３１）ないし掛止壁（３０）の外面に、挟持体（２５）を係合装着するための係合壁（３２）が突設されており、
折版屋根材（５）の反転壁（６ａ）が、係合壁（３２）に係合装着した挟持体（２５）で浮き離れ不能に押さえ固定されている請求項１記載の屋根端部の耐風構造。
【請求項３】
挟持体（２５）が中空のアルミニウム条材で形成されており、挟持体（２５）の一部を係合壁（３２）に係合装着した状態において、折版屋根材（５）の反転壁（６ａ）が、挟持体（２５）の上面に設けた押圧壁（３７）で掛止壁（３０）に押さえ固定されている請求項１または２記載の屋根端部の耐風構造。
【請求項４】
アルミニウム条材からなる唐草本体（２４）の縦壁（３１）の外面に、掛止壁（３０）と上下に対向する係合壁（３２）が突設されており、
掛止壁（３０）と係合壁（３２）との間に装着されて、折版屋根材（５）の反転壁（６ａ）を掛止壁（３０）に押さえ固定する挟持体（２５）が弾性材で形成してある請求項１または２記載の屋根端部の耐風構造。
【請求項５】
アルミニウム条材からなる唐草本体（２４）の縦壁（３１）の外面に、掛止壁（３０）と上下に対向する係合壁（３２）が突設されており、
折版屋根材（５）の反転壁（６ａ）が、掛止壁（３０）と係合壁（３２）との間に嵌め込み装着した挟持体（２５）で浮き離れ不能に押さえ固定されている請求項１または２記載の屋根端部の耐風構造。
【請求項６】
係合壁（３２）に、挟持体（２５）を係合壁（３２）の屋根外面側から嵌め込むための装着口（３４）が切り欠き形成されている請求項２または３または５に記載の屋根端部の耐風構造。
【発明の詳細な説明】
【技術分野】
【０００１】
本発明は、軒先やケラバなどの折版屋根の端部における耐風構造、なかでも折版屋根材の端壁が屋根下地に固定した唐草に折り曲げて固定してある耐風構造に関する。
【背景技術】
【０００２】
この種の耐風構造は、例えば特許文献１に公知である。そこでは、屋根下地の軒端に唐草を固定したうえで、折版屋根材の軒端を折り曲げて、唐草の掛止壁に掛止固定している。唐草はアルミニウム条材からなり、その上部外面に逆Ｌ字状の掛止壁が突設してある。折版屋根材の軒端は、逆Ｌ字状の掛止壁に沿って下向きに折り曲げられ、さらに上向きに反転する状態で折り曲げられる。なお、折版屋根材の軒端を折り曲げる作業は、屋根葺き作業に併行して現場で行われる。この種の耐風仕様の軒先構造は特許文献２にも開示してある。因みに、一般的な仕様の軒先構造においては、横一文字状に張出した掛止壁に、折版屋根材の軒端を単に反転状に折り曲げて固定している。ケラバにおいても同様の耐風構造が適用されている。
【０００３】
【特許文献１】特許第２７１５０６３号公報（段落番号００１８、図１）
【特許文献２】特許第２９９９７２０号公報（段落番号００１８、図４）
【発明の開示】
【発明が解決しようとする課題】
【０００４】
上記のように、折版屋根材の軒端を、逆Ｌ字状の掛止壁に沿って２箇所で折り曲げる耐風仕様の軒先構造によれば、一般的な仕様の軒先構造に比べて、強風によって折版屋根材が捲れあがるのを確実に防止できる。しかし、軒端を２箇所で折り曲げる必要があるため、一般的な仕様の軒先構造に比べて、作業に多くの手間と時間が掛かる。さらに、折版屋根材の板厚が増えると軒端を適切に折り曲げるのが困難になり、仕上がり状態にばらつきを生じやすい。曲げ加工が不十分な場合には、折版屋根材が捲れあがる事故の一因になることもある。とくに、掛止壁の真下に雨樋が配置してある場合には、軒端を折り曲げる際に雨樋が邪魔になるため、折り曲げ作業に多くの時間が掛かる。
【０００５】
本発明の目的は、耐風仕様を満足しながら、折版屋根材の端部を唐草に対して簡便に掛止固定できる屋根端部の耐風構造を提供することにある。本発明の目的は、折版屋根材の端壁を唐草に、より少ない手間でしかも迅速に掛止固定できるうえ、屋根端部の仕上がり状態にばらつきがなく、高い信頼性を発揮できる屋根端部の耐風構造を提供することにある。
【課題を解決するための手段】
【０００６】
本発明は、屋根下地２に唐草２３が固定され、屋根外面へ突出する唐草２３の掛止壁３０に、折版屋根材５の端部壁面が反転状に折り曲げ固定してある屋根端部の耐風構造を適用対象とする。唐草２３は、屋根下地２に固定される唐草本体２４と、唐草本体２４の外面に係合装着される挟持体２５とで構成する。以て、掛止壁３０に折り曲げ掛止した折版屋根材５の反転壁６ａを、唐草本体２４に係合装着した挟持体２５で浮き離れ不能に押さえ固定することを特徴とする。
【０００７】
図３において唐草本体２４は、屋根下地２の上面に締結されるベース壁２９と、ベース壁２９に連続して屋根外面へ突出する掛止壁３０と、屋根下地２の端面で受け止められる縦壁３１とを備えたアルミニウム条材からなる。縦壁３１ないし掛止壁３０の外面に、挟持体２５を係合装着するための係合壁３２が突設されている。以て、折版屋根材５の反転壁６ａを、係合壁３２に係合装着した挟持体２５で浮き離れ不能に押さえ固定する。
【０００８】
挟持体２５は中空のアルミニウム条材で形成し、挟持体２５の一部を係合壁３２に係合装着した状態において、折版屋根材５の反転壁６ａを、挟持体２５の上面に設けた押圧壁３７で掛止壁３０に押さえ固定することができる。
【０００９】
アルミニウム条材からなる唐草本体２４の縦壁３１の外面には、掛止壁３０と上下に対向する係合壁３２を突設し、掛止壁３０と係合壁３２との間に装着されて、折版屋根材５の反転壁６ａを掛止壁３０に押さえ固定する挟持体２５を弾性材で形成することができる。
【００１０】
アルミニウム条材からなる唐草本体２４の縦壁３１の外面には、掛止壁３０と上下に対向する係合壁３２を突設し、折版屋根材５の反転壁６ａを、掛止壁３０と係合壁３２との間に嵌め込み装着した挟持体２５で浮き離れ不能に押さえ固定することができる。
【００１１】
図４に示すように係合壁３２には、挟持体２５を係合壁３２の屋根外面側から嵌め込むための装着口３４を切り欠き形成することができる。
【発明の効果】
【００１２】
本発明では、屋根下地２に固定される唐草本体２４と、唐草本体２４の外面に係合装着される挟持体２５とで唐草２３を構成し、唐草本体２４の掛止壁３０に折り曲げ掛止した折版屋根材５の反転壁６ａが、唐草本体２４に係合装着した挟持体２５で浮き離れ不能に押さえ固定されているので、施工現場では、折版屋根材５の主面壁６を１回だけ折り曲げて反転したのち、挟持体２５を唐草本体２４に係合装着すればよく、一連の作業をより少ない手間でしかも迅速に掛止固定できる。屋根端部の仕上がり状態がばらつくこともない。さらに、反転壁６ａを挟持体２５で押さえ固定して、反転壁６ａが掛止壁３０から浮き離れるのを確実に防止するので、主面壁６の折り曲げ個所が１個所だけであるにもかかわらず、耐風仕様を満足して屋根端部構造の信頼性が向上する。
【００１３】
屋根下地２に締結されるベース壁２９と、ベース壁２９に連続する掛止壁３０と、屋根下地２の端面で受け止められる縦壁３１と、縦壁３１ないし掛止壁３０の外面に突設した係合壁３２を備えたアルミニウム条材で唐草本体２４を構成し、係合壁３２に係合装着した挟持体２５で折版屋根材５の反転壁６ａを浮き離れ不能に押さえ固定する耐風構造によれば、反転壁６ａを受け止める掛止壁３０と、挟持体２５が装着される係合壁３２との関係寸法のばらつきを一掃できるので、反転壁６ａを挟持体２５で常に確実に押さえ固定でき、作業者の熟練の度合いなどに影響されることなく、屋根端部の耐風構造の信頼性を向上できる。
【００１４】
挟持体２５を中空のアルミニウム条材で形成して、折版屋根材５の反転壁６ａを挟持体２５の上面の押圧壁３７で掛止壁３０に押さえ固定する耐風構造によれば、例えば、挟持体２５がプレス成形してある場合に比べて、挟持体２５の出来上がり寸法のばらつきがなく、その分だけ屋根端部の施工品質をさらに向上し、耐風構造の信頼性が高まる。とくに、唐草本体２４がアルミニウム条材で形成してある場合には、両者２４・２５を高い精度に組み付けて、反転壁６ａをさらに確実に押さえ固定できる。中空体からなる挟持体２５は、それ自体の構造強度が高く長期使用時の耐久性に優れている。
【００１５】
図５（ａ）に示すように、折版屋根材５の反転壁６ａを弾性材で形成した挟持体２５で掛止壁３０に押さえ固定する耐風構造によれば、反転壁６ａを挟持体２５のばね力によって掛止壁３０に密着する状態で押さえ固定できるので、唐草本体２４に装着した挟持体２５や反転壁６ａが風を受けてがた付くのを一掃できる。さらに、唐草本体２４に装着した挟持体２５が係合溝３６に沿って遊動するのを規制して、常に適正な位置で反転壁６ａを押さえ固定できる。掛止壁３０と上下に対向する係合壁３２を突設し、掛止壁３０と係合壁３２との間に挟持体２５を装着するので、係合壁３２に装着口３４を切り欠き形成する必要もなく、挟持体２５を係合溝３６に係合装着でき、その分だけ唐草本体２４に対する加工の手間を省いて、資材コストの削減化を図れる。
【００１６】
図５（ｂ）に示すように、上下に対向する掛止壁３０と係合壁３２との間に挟持体２５を嵌め込み装着して、その上面の押圧壁３７で反転壁６ａを浮き離れ不能に押さえ固定する耐風構造によれば、上下に対向する掛止壁３０と係合壁３２とで挟持体２５を常に安定した状態で支持して、反転壁６ａが掛止壁３０から浮き離れようとするのを確実に防止できる。
【００１７】
係合壁３２に装着口３４が切り欠き形成してあると、挟持体２５を係合壁３２の屋根外面側から嵌め込むことにより、挟持体２５の組み付け作業をより少ない手間で迅速に行え、耐風機能を備えた屋根端部の施工能率を大幅に向上して、施工に掛かる費用を削減できる。
【発明を実施するための最良の形態】
【００１８】
（実施例１）  図１ないし図４は本発明を縦葺き屋根における軒先の耐風構造に適用した実施例を示す。図１および図２において、符号１は形鋼からなる母屋、２は屋根下地、３はアスファルトルーフィングフェルトあるいはゴムシートなどで形成される防水シートであり、防水シート３の外面を覆う状態で折版屋根材５を葺き上げる。屋根下地２は、例えばグラスウールボードで形成した断熱板や木毛板からなり、母屋１にビスで締結する。
【００１９】
折版屋根材５は、コイル状に巻かれた所定幅の塗装鋼板をロール成形して形成してあり、その内面に発泡断熱層１０が裏打ちされている。図２に示すように折版屋根材５は、平坦な主面壁６の左右端に、斜め上向きの円弧壁７を膨出形成し、円弧壁７の上端に連続して逆Ｖ状の接合部８が折り返し形成してある。発泡断熱層１０は、例えばポリエチレンフォームを主面壁６の内面側に貼り付けて形成される。
【００２０】
屋根下地２上には、折版屋根材５を葺き上げるための吊子１１が一定間隔置きに締結固定される。吊子１１は軒棟方向に連続する長尺材からなり、上向きに開口する断面コ字形の樋体部１２と、樋体部１２の上部外側面に折り曲げ形成される逆Ｖ字状の連結部１３とを一体に備えている。樋体部１２の底壁中央に膨出形成された締結壁１４をタッピンビスなどのねじ１５で締結することにより、吊子１１を屋根下地２を介して母屋１に固定できる。
【００２１】
折版屋根材５は左右両側の各接合部８を吊子１１の連結部１３に下面側から弾性係合し、さらに各接合部８にキャップ１９を弾性係合して、隣接する折版屋根材５どうしを連結する。連結状態における吊子１１の上面開口はキャップ１９で塞がれる。なお、キャップ１９の左右幅が約４３mmであるのに対し、折版屋根材５の左右幅は約３７５mm、後述する挟持体２５の左右幅は約１２０mmである。
【００２２】
キャップ１９は、接合部８の屈曲個所の外面に弾性係合する左右一対の脚片２０と、各脚片２０の上端に連続して吊子１１の開口面を覆う上壁２１とを一体に折り曲げた長尺材からなり、折版屋根材５と同等の素材で形成する。両脚片２０の下端には、上すぼまりテーパー状に折れ曲がる誘導壁を形成する。
【００２３】
折版屋根における軒先の雨仕舞のために、屋根下地２に唐草２３を固定し、軒先外面へ突出する唐草２３の掛止壁３０に、折版屋根材５の主面壁６の軒端側の壁面を反転状に折り曲げ固定している。この反転壁を符合６ａで示す。
【００２４】
唐草２３は、屋根下地２の軒端に沿って配置される長尺の唐草本体２４と、唐草本体２４の外面に係合装着される短寸の挟持体２５とからなる。図１および図３において唐草本体２４は、屋根下地２の上面にねじ２６で締結されるベース壁２９と、ベース壁２９の前端に連続して軒先外面へ突出される掛止壁３０と、ベース壁２９の前端から下向きに突設されて、屋根下地２の軒端面で受け止められる縦壁３１と、縦壁３１の外面の上下中途部に突設される係合壁３２とを一体に備えた長尺のアルミニウム条材からなる。掛止壁３０の基端上面には断面コ字状の水切溝３３が凹み形成されている。水切溝３３で区分されるベース壁２９と掛止壁３０とは同一平面上に設けてある。
【００２５】
係合壁３２は斜め上向きに突設されて、縦壁３１との間にＶ字状の係合溝３６を形成しており、この係合溝３６に挟持体２５が嵌め込まれる。挟持体２５は、唐草本体２４の側端から差し込み装填できるが、唐草本体２４の左右長さが大きい場合には、挟持体２５を組み込むために、その都度唐草本体２４の側端まで移動したうえで、係合溝３６に嵌め込んだ挟持体２５を葺き上げられた折版屋根材５の位置までスライド移動させる必要があり、その組み付けに多くの手間が掛かる。このような手間を省くために、図４に示すように、係合壁３２の一部を一定間隔に切除して装着口３４を形成して、挟持体２５を係合壁３２の軒先外面側から係合溝３６に嵌係合できるようにした。
【００２６】
図３において挟持体２５は、掛止壁３０の下面側へ折り返された反転壁６ａを押保持する押圧壁３７と、縦壁３１に外接する接当壁３８と、これら両壁３７・３８の端部どうしをつなぐ傾斜壁３９とを一体に備えた、断面が直角三角形状の中空のアルミニウム条材からなる。挟持体２５の接当壁３８と傾斜壁３９とで挟まれる隅部には、先の係合溝３６に嵌合する断面Ｖ字状の嵌合部４０が形成され、押圧壁３７と接当壁３８とで挟まれる隅部には、水切溝３３の外形形状に沿う断面Ｌ字状の段部４１が凹み形成されている。
【００２７】
施工時には、屋根下地２、防水シート３および逆Ｌ字状の水切板４４などを常法に従って配置したのち、屋根下地２の軒端に唐草２３を取り付ける。詳しくは、唐草本体２４のベース壁２９を屋根下地２上に配置し、そのベース壁２９をセルフドリリングビスやタッピンビスなどのねじ２６で母屋１に締結する。この状態で折版屋根材５を葺き上げ、キャップ１９で隣接する折版屋根材５どうしを固定する。次に、各折版屋根材５の主面壁６以外の軒先部分を切り落とし、残った壁部分を折り曲げ工具を使用して掛止壁３０に沿って折り曲げ、反転壁６ａの折り曲げ基端を掛止壁３０に固定する。なお、キャップ１９の軒端は化粧キャップ４５で塞ぐ。両キャップ１９・４５はブラインドリベットなどで固定する。
【００２８】
図４に示すように、装着口３４に臨む縦壁３１にあてがった挟持体２５を横スライド操作して係合溝３６に嵌係合することにより、その押圧壁３７で反転壁６ａを浮き離れ不能に押さえ固定する。挟持体２５は、折版屋根材５の幅方向中央と、隣接する折版屋根材５・５の連結個所に対応して配置される。必要があれば、係合壁３２の突端の一部を塑性変形させて、あるいは接着剤を挟持体２５と係合溝３６との間に充填して、挟持体２５を横スライド不能に固定することができる。以後は、次々に折版屋根材５を葺き上げて、その反転壁６ａを係合溝３６に嵌係合した挟持体２５で押さえ固定する。図１および図４において符合４６は雨樋である。
【００２９】
上記のように、掛止壁３０に掛止した反転壁６ａを挟持体２５で押さえ固定する耐風構造によれば、主面壁６を掛止壁３０の下面側へ折り曲げるだけであるので、主面壁６の折り曲げ作業に要する手間を著しく省くことができる。折版屋根材５の板厚が大きい場合でも問題なく折り曲げ作業を行える。さらに、折り曲げられた反転壁６ａを挟持体２５で押さえ固定するので、強風時であっても、反転壁６ａが掛止壁３０から浮き離れるのを確実に防止して耐風仕様を満足でき、全体として、一連の作業に要する手間を大幅に省いて、折版屋根材５の軒先の雨仕舞処理を、より少ない手間でしかも迅速に行える。係合溝３６に嵌係合した挟持体２５で反転壁６ａを押さえ固定するので、軒端の仕上がり状態にばらつきがなく、施工品質を向上して高い信頼性を発揮できる利点もある。
【００３０】
係合溝３６に嵌係合した挟持体２５は、反転壁６ａを介して掛止壁３０で受け止められ、さらに、係合壁３２と水切溝３３の底壁で傾動不能に保持されるので、掛止壁３０から浮き離れる向きの外力が反転壁６ａに作用する場合でも、安定した状態で反転壁６ａを固定保持でき、従来のこの種の耐風先構造に比べてさらに安定した耐風機能を発揮する。掛止壁３０と押圧壁３７とに挟持された反転壁６ａは、軒棟方向へスライドできるので、例えば夏期に折版屋根材５が熱膨張するような場合には、反転壁６ａが軒先側へスライド変位して屋根材の伸長変形を吸収できる利点もある。
【００３１】
（変形例）  図５（ａ）〜（ｄ）は、唐草２３の変形例を示す。図５（ａ）では、唐草本体２４の縦壁３１の外面に、掛止壁３０と上下に対向する係合壁３２を突設し、係合壁３２の突端上面に抜止リブ４８を突設した。挟持体２５は、帯板状のばね材を素材にして連続波形に形成し、自由状態における挟持体２５の上下寸法が、掛止壁３０と係合壁３２との上下対向間隔寸法より大きくなるようにした。なお、上記の実施例と同じ部材には同じ符合を付して、その説明を省略した。以下の各変形例においても同様に扱う。
【００３２】
このように、弾性材で形成した挟持体２５によれば、折版屋根材５の主面壁６を折り曲げて反転壁６ａを形成した後、挟持体２５を掛止壁３０と係合壁３２との間に、弾性変形しながら嵌め込むことにより、挟持体２５の弾性によって反転壁６ａを掛止壁３０に押さえ固定することができる。先の実施例における装着口３４を設けるまでもなく、挟持体２５を係合壁３２の軒先外面側から嵌係合できる利点もある。唐草本体２４に嵌め込んだ挟持体２５が、係合溝３６の長手方向へずれ動くこともない。
【００３３】
図５（ｂ）では、図５（ａ）と同様の係合壁３２および抜止リブ４８を突設した。挟持体２５は断面四角形状の中実材で形成されており、掛止壁３０と係合壁３２との間に嵌め込むことにより、その上面の押圧壁３７で反転壁６ａを押さえ固定できる。この変形例においては、抜止リブ４８の長手方向に沿って複数個の装着口３４を設けておく。必要があれば、挟持体２５を断面四角形状の中空材で形成することができる。
【００３４】
図５（ｃ）では、掛止壁３０の基端寄り下面から係合壁３２を一体に突設し、両壁３０・３２間に形成される係合溝３６に挟持体２５を嵌係合して、反転壁６ａを押さえ固定した。挟持体２５は逆台形状の中空材で形成してあり、係合壁３２に切り欠き形成した装着口３４（図示していない）から、係合溝３６に装着される。このように、係合壁３２は、縦壁３１から掛止壁３０に到る任意位置に形成することができる。
【００３５】
図５（ｄ）では、縦壁３１の外面に上下一対の係合壁３２を突設して、両係合壁３２の間に係合溝３６を形成した。また、挟持体２５を断面逆コ字状に形成し、その下壁の基端に、先の係合溝３６と係合するＴ字断面状の嵌合部４０を一体に形成した。
【００３６】
（実施例２）  図６および図７は唐草２３に関する本発明の実施例２を示す。そこでは、屋根下地２の表面にバックアップ材５１を配置したうえで、その外面に折版屋根材５が葺き上げられる。先の実施例１における屋根とは、葺き上げられた折版屋根材５とキャップ１９とが面一状に隣接する点が異なっている。そのため、図６に示すように、ベース壁２９に連続する掛止壁３０が、ベース壁２９より上方に突出しており、掛止壁３０に連続する縦壁３１と、ベース壁２９に連続する第２縦壁５２とを、上下一対の橋絡壁５３で一体化している。各橋絡壁５３には、水抜穴が形成してある。図７において、符合５４はキャップ１９と折版屋根材５との間をシールする中空のパッキンである。キャップ１９の上壁２１は、主面壁６と同様に折り曲げられて掛止壁３０に掛止固定される。
【００３７】
上記の実施例以外に、唐草本体２４や挟持体２５はアルミニウム条材である必要はなく、板材をプレス成形して形成できる。反転壁６ａは掛止壁３０の下面全体に接当させることができる。挟持体２５は、ばね線材やゴムなどの弾性材で形成してもよい。必要があれば、中空材の複数箇所にばねやゴムを分離不能に組み付けて挟持体２５とすることができる。さらに、唐草本体２４の側に挟持体２５を押さえ保持するばねやゴムを組み付けることができる。本発明の耐風構造は、折版屋根材５の断面形状や連結構造が異なる場合にも広く適用でき、例えば互棒型の縦葺き屋根はもちろん、必要があれば横葺き屋根にも適用できる。もちろん、ケラバにおける屋根端部の耐風構造に適用することができる。
【図面の簡単な説明】
【００３８】
【図１】屋根端部の耐風構造を示す縦断側面図である。
【図２】屋根構造を示す縦断正面図である。
【図３】耐風構造の構成部品の分解断面図である。
【図４】耐風構造の斜視図である。
【図５】耐風構造の変形例（ａ）〜（ｄ）を示す縦断側面図である。
【図６】実施例２の耐風構造の縦断側面図である。
【図７】実施例２の屋根構造を示す縦断正面図である。
【符号の説明】
【００３９】
２  屋根下地
５  折版屋根材
６ａ  折版屋根材の反転壁
２３  唐草
２４  唐草本体
２５  挟持対
３０  掛止壁
３１  縦壁
３２  係合壁
３７  押圧壁
【図１】
2006257748.tif 000003
【図２】
2006257748.tif 000004
【図３】
2006257748.tif 000005
【図４】
2006257748.tif 000006
【図５】
2006257748.tif 000007
【図６】
2006257748.tif 000008
【図７】
2006257748.tif 000009